(57)【要約】【課題】飲料や調味料等の液体が収容された容器の開栓に際して余計な道具を必要としない、容器とキャップとオーバーキャップとの組み合わせを提供する。【解決手段】金属キャップ２０を容器１０の口部に装着する際に、金属キャップの把持片２３を口部の凹部に収納させた状態で金属キャップ２０を口部の環状突起１１に係止させ、オーバーキャップ３０を装着する際に、オーバーキャップ３０と金属キャップ２０の把持片が干渉しないようにする。【選択図】図７
2010168065.tif 000002
【特許請求の範囲】
【請求項１】
口部の上端外周面に環状突起を有し、該環状突起より下方の口部外周面に雄螺条と、該環状突起より下方から少なくとも該雄螺条が形成されている位置まで延びる凹部とを有する容器と、天面壁と該天面壁から垂下するスカート壁からなり、該天面壁の内面に該容器の口部の上端をシールするシール材が設けられており、該スカート壁の下端から下方に延びる把持片が設けられており、該スカート壁と該把持片との接続位置両端乃至その近傍に該スカート壁下端から上方に延びる一対の引き裂き用弱化部が設けられている金属キャップと、該雄螺条と螺合する雌螺条を有するオーバーキャップと、からなる組み合わせであって、
該金属キャップを該容器の該口部に装着する際に、該金属キャップの該把持片を該口部の該凹部に収納させた状態で該金属キャップを該口部に被嵌し、該金属キャップの該スカート壁の下方部分を半径方向内方へ変位させることにより、該スカート壁を該口部の該環状突起に係止させ、該容器の該口部に該金属キャップが装着された状態で、該オーバーキャップを装着する際に、該オーバーキャップと該金属キャップの該把持片が干渉しないことを特徴とする容器と金属キャップとオーバーキャップの組み合わせ。
【請求項２】
該容器は、その底部に方向規制用の凹部又は凸部を有することを特徴とする請求項１に記載の容器と金属キャップとオーバーキャップとの組み合わせ。
【発明の詳細な説明】
【技術分野】
【０００１】
本発明は、飲料や調味料、薬品などを収容する容器と、この容器の口頸部に装着されるキャップと、このキャップを覆うように該容器と螺合するオーバーキャップとの組み合わせに関する。
【背景技術】
【０００２】
飲料や調味料などの液体を保存するに際し、これらの液体をガラスで作られた容器に収容してこの容器の口頸部に王冠を装着して封止することが従来から一般的に行われている。また、この王冠を覆うように容器に係合する注出キャップを備える構造もいくつか散見される。
【０００３】
容器の封止に関する他の態様として、王冠に替えて、天面壁と該天面壁の周縁から垂下する円筒形スカート壁と該スカート壁の下端から突出する把持片とを含む容器蓋を用いる構造も存在する。このような容器、王冠および注出キャップの組み合わせ、あるいは容器と容器蓋に関し、例えば以下のような技術が開示されている。
【０００４】
特許文献１には、飲料や調味料等の液体を収容する瓶などの容器と、この容器の口頸部を封止する王冠と、いわゆる打栓方式によりこの王冠に圧着される注出キャップと、の組み合わせが記載されている。
また特許文献２には、上面が開口された瓶などの容器の外周面上端部に容器蓋が被嵌された構造が記載されている。この組み合わせにおいては、スカート壁の下端部を半径方向内側に変形して瓶の玉縁に係止せしめることによって容器蓋が瓶に装着される。そして容器蓋の環状ライナーは瓶の頂部に押圧せしめられ、これにより瓶の開口が密封される。瓶の開口を開封する際には、容器蓋の把持片の先端部に形成されたリング形状部に指を挿入してこの把持片を引き起こし、これにより容器蓋が瓶から取り外される。
【先行技術文献】
【特許文献】
【０００５】
【特許文献１】実開昭５０−９７８４９号公報
【特許文献２】特開平６−２１１２５８号公報
【発明の概要】
【発明が解決しようとする課題】
【０００６】
しかしながら、前記従来の技術のものでは以下のような課題があった。すなわち特許文献１に記載の容器、王冠および注出キャップの組み合わせ構造では開栓時に栓抜きを用いる必要があるため、このような容器の使用者は別途栓抜きを用意しなければならない。
【０００７】
一方で特許文献２には容器と容器蓋との組み合わせが記載されており、開栓に際して栓抜きは使用しないで済むものの、この容器蓋と容器蓋の上から容器を覆うオーバーキャップとの組み合わせに関して具体的な構造を開示するものではなかった。
【０００８】
本発明は、このような従来の課題を解決するためになされたもので、飲料や調味料等の液体が収容された容器の開栓に際して余計な道具を必要としない、容器とキャップとオーバーキャップとの組み合わせを提供することを目的とする。
【課題を解決するための手段】
【０００９】
（１）本発明の容器と金属キャップとオーバーキャップとの組み合わせは、口部の上端外周面に環状突起を有し、該環状突起より下方の口部外周面に雄螺条と、該環状突起より下方から少なくとも該雄螺条が形成されている位置まで延びる凹部とを有する容器と、天面壁と該天面壁から垂下するスカート壁からなり、該天面壁の内面に該容器の口部の上端をシールするシール材が設けられており、該スカート壁の下端から下方に延びる把持片が設けられており、該スカート壁と該把持片との接続位置両端乃至その近傍に該スカート壁下端から上方に延びる一対の引き裂き用弱化部が設けられている金属キャップと、該雄螺条と螺合する雌螺条を有するオーバーキャップと、からなる組み合わせであって、該金属キャップを該容器の該口部に装着する際に、該金属キャップの該把持片を該口部の該凹部に収納させた状態で該金属キャップを該口部に被嵌し、該金属キャップの該スカート壁の下方部分を半径方向内方へ変位させることにより、該スカート壁を該口部の該環状突起に係止させ、該容器の該口部に該金属キャップが装着された状態で、該オーバーキャップを装着する際に、該オーバーキャップと該金属キャップの該把持片が干渉しないことを特徴とする。
【００１０】
（２）なお、該容器は、その底部に方向規制用の凹部又は凸部を有することが好ましい。
【発明の効果】
【００１１】
本発明によれば、第一に、内部の液体を使用する際に栓抜きなど道具を別途用意することなしに容器に装着されたキャップを開栓することができる。
【００１２】
さらには、予めキャップで封をした容器にオーバーキャップが被さることになるが、容器の環状突起より下方から少なくとも該雄螺条が形成されている位置まで延びる凹部にキャップの把持片が収容されるので、オーバーキャップの高さを変更すること無く把持片の長さを延長することができ、外観の高さ寸法の大型化を抑制しつつ開栓時の操作性にも優れた容器とキャップとオーバーキャップの組み合わせを提供することができる。
【図面の簡単な説明】
【００１３】
【図１】本実施例に係る容器口部を拡大した斜視図である。
【図２】容器口部に形成された凹部の変形例を示す拡大斜視図である。
【図３】金属キャップが装着された容器をその底部側から見た斜視図である。
【図４】容器の環状突起に金属キャップが係合した状態を示す斜視図である。
【図５】図４におけるＡ−Ａ断面の左側断面図である。
【図６】金属キャップが容器に装着された際の状態を示す部分斜視図である。
【図７】容器に金属キャップとオーバーキャップとが装着された状態を示す部分断面図である。
【図８】容器と金属キャップとオーバーキャップとが、互いに分離した状態を示す部分断面図である。
【発明を実施するための形態】
【００１４】
本発明の好適な実施形態では、本発明の容器と金属キャップとオーバーキャップとの組み合わせは、口部の上端外周面に環状突起を有し、該環状突起より下方の口部外周面に雄螺条と、該環状突起より下方から少なくとも該雄螺条が形成されている位置まで延びる凹部とを有する容器と、天面壁と該天面壁から垂下するスカート壁からなり、該天面壁の内面に該容器の口部の上端をシールするシール材が設けられており、該スカート壁の下端から下方に延びる把持片が設けられており、該スカート壁と該把持片との接続位置両端乃至その近傍に該スカート壁下端から上方に延びる一対の引き裂き用弱化部が設けられている金属キャップと、該雄螺条と螺合する雌螺条を有するオーバーキャップと、からなる組み合わせであって、該金属キャップを該容器の該口部に装着する際に、該金属キャップの該把持片を該口部の該凹部に収納させた状態で該金属キャップを該口部に被嵌し、該金属キャップの該スカート壁の下方部分を半径方向内方へ変位させることにより、該スカート壁を該口部の該環状突起に係止させ、該容器の該口部に該金属キャップが装着された状態で、該オーバーキャップを装着する際に、該オーバーキャップと該金属キャップの該把持片が干渉しないように構成されている。
【００１５】
まず容器は、その内部に収容される液体の注出部となる口部の上端外周面に環状突起を有し、該環状突起より下方の口部外周面に雄螺条と、該環状突起より下方から該雄螺条が形成されている位置まで延びる凹部とを有してなる。そしてキャップは主に金属材料からなり、容器の環状突起に係合される際にこの金属キャップの把持片が容器の凹部に収容される。
【００１６】
そして容器に金属キャップが装着された後に、オーバーキャップに形成された雌螺条が容器に形成された雄螺条と螺合するように、該オーバーキャップを容器に装着させる。この際、金属キャップの把持片は容器の凹部に収容されているので、オーバーキャップと該金属キャップの把持片は互いに干渉することがない。
【００１７】
また、容器の底部に方向規制用の凹部又は凸部を設けた場合、金属キャップの把持片と容器の凹部との位置決めが容易に行えるようになる。
【実施例】
【００１８】
以下、容器とその口頸部に螺合される金属キャップと容器に形成された雄螺条に螺合する雌螺条を有するオーバーキャップのとの組み合わせに係る実施例について説明する。
【００１９】
図１は本実施例に係る容器の口部を拡大した斜視図である。
図１において、１０は実施例に係る容器であり、容器の材質としては、合成樹脂、ガラスなどが挙げられるが、好適にはガラスにより略円筒形状となるように形成される。なお容器１０の内部に収容される液体として、例えば飲料や調味料などが例示できる。容器１０の形状は用途に応じて、楕円形や多角形など様々なものが考えられるが、このような円筒形状がキャップによる容器の密封性の点からは好ましい。
【００２０】
容器１０は、内部に収容される液体を注出する開口部の上端から所定の長さだけ下方の領域（以下、容器の口部１０ａという）において、その外径が容器下方部に比して小さくなっている。本実施例では口部１０ａの領域は容器全体の高さに対して、概ね上端から１／４程度の長さとしている。
【００２１】
また、口部１０ａの上端外周面には環状突起１１を備えており、この環状突起１１より下方の口部外周面には雄螺条１２が形成されるとともに、環状突起１１より下方からこの雄螺条１２が形成されている位置まで延びる凹部１３が形成されている。この凹部１３は、後述する金属キャップの把持片が収納される程の大きさであり、把持片が凹部１３に収納された状態でその上から装着されるオーバーキャップと干渉しない程度の深さを備えてなり、その外形は上下方向に延びる略長方形となっている。
【００２２】
凹部１３の半径方向の深さについては把持片が収納可能であれば特に制限はなく、例えば１乃至３ｍｍ程度の深さを有する。この凹部１３は、容器１０を成形する際に同時に容器１０の口部１０ａに形成される。すなわち、凹部１３が容器の口部１０ａの所定位置に形成されるように成形型を設計しておくことにより実現できる。
【００２３】
また、図１においては凹部１３の底面は一様な曲面として例示してあるが、これに限定されるものではない。例えば図２に示すように、把持片を掴みやすいように後述する把持片のリング状把持部付近がさらに窪んだ形状（第二の凹部１３ｂ）を、凹部１３内に備えた形状としてもよい。
【００２４】
また、口部１０ａには雄螺条１２の下方に顎部１４が形成されている。顎部１４は、金属キャップ２０を容器の口部１０ａに装着する際に、ラインにおける容器の搬送時の保持部として利用される部分である。
【００２５】
図３は、金属キャップ２０が装着された容器１０をその底部側から見た斜視図である。容器１０の底部側には方向規制用の凹部１５が形成されている。この方向規制用の凹部１５は、金属キャップ２０が容器１０の口部１０ａに装着される際に、金属キャップ２０の把持片２３と把持片２３が収納される凹部１３との位置決め用に用いられ、図示しない位置決め部材が凹部１５と係合することで金属キャップ２０の把持片２３が正確に凹部１３内に収納させることができるようになる。製造ラインにおいては、図示しない位置決め部材をこの凹部１５に係合することにより金属キャップ２０の把持片２３と容器１０の凹部１３との相対的な位置合わせを実現する。
【００２６】
図４は、容器１０の環状突起１１に係合する金属キャップ２０が容器１０に装着された状態の斜視図である。金属キャップ２０としては、アルミ薄板が好適材料として挙げられるが、その他の金属材料として、例えばアルミ合金薄板、クロム酸処理鋼薄板、ブリキ薄板なども挙げられる。
【００２７】
この金属キャップ２０は、天面壁２１と、天面壁２１周縁から垂下するスカート壁２２と、スカート壁２２の下端から下方に延びる把持片２３とを有してなる。そしてこの金属キャップ２０の把持片２３には、リング状把持部２３ａが設けられている。また、金属キャップ２０には、スカート壁２２と把持片２３との接続位置両端乃至その近傍にスカート壁２２の下端から上方に向けて延び、天面壁２１の周縁を周方向に沿って離れる方向に延びる一対の引き裂き用弱化部２４が設けられている。
【００２８】
引き裂き用弱化部２４は、金属キャップ２０のスカート壁２２と天面壁２１の一部を肉薄のスコアーとしたものである。そして使用者が開封時に把持片２３を持ち上げたときに、このスコアーが切り裂かれることにより金属キャップ２０が容器１０から容易に離脱できるように機能するものである。
【００２９】
なお、金属キャップの大きさにもよるが、引き裂き用弱化部２４はスカート壁２２から天面壁２１にかけて概ね０．５乃至１．０ｃｍほどの長さを有している。
【００３０】
図５は、図４における容器１０に装着された金属キャップ２０のＡ−Ａ断面の左側断面図である。
金属キャップ２０の天面壁２１の内面には、容器１０の口部１０ａをシールするためのシール材２５が設けられている。なおシール材２５は、好適には塩化ビニル樹脂、ウレタン樹脂などが用いられる。
【００３１】
図６は金属キャップ２０が容器１０に装着された際の部分斜視図であり、引き裂き用弱化部２４を拡大して示すものである。なお上述のとおり金属キャップ２０の把持片２３は、容器１０の凹部１３に収納されている。
【００３２】
金属キャップ２０を開封して内部の液体を注出する際には、使用者はリング状把持部２３ａに指を掛けて、この金属キャップの把持片２３を容器の半径方向外側上方に向けて弾性変形させる。これにより引き裂き用弱化部２４が切り裂かれ、さらに上方に持ち上げることにより金属キャップ２０が容器の環状突起１１から離脱される。
【００３３】
図７は、金属キャップ２０が装着された容器１０に、オーバーキャップ３０がさらに装着された状態を示す部分断面図であり、図８は、容器１０と金属キャップ２０とオーバーキャップ３０とが、互いに分離した状態を示す部分断面図である。
【００３４】
オーバーキャップ３０は、金属キャップ２０を離脱した後の容器の口部１０ａの雄螺条と螺合して容器内の開口部を封止するためのものであり、好適には合成樹脂からなる。そして該オーバーキャップ３０は、天面壁３１と、該天面壁３１の周縁から垂下するスカート壁３２からなるキャップ本体３５と、スカート壁３２の上端部とヒンジ連結された上蓋３６とから構成されている。
【００３５】
また、キャップ本体３５のスカート壁３２のうち容器１０の口部１０ａと対面する側には、容器１０の雄螺条１２と螺合する雌螺条３２ａが形成されるとともに、天面壁３１のうち容器１０の開口部と対面する側には突起３３が形成されている。そしてこの突起３３とスカート壁３２の間にはシール材３４が配置され、金属キャップ２０が離脱された後の容器内の液体の漏洩を防止する機能を備えている。
【００３６】
なお、図７，８においては、天面壁３１の中央側には注出用の開口が複数個形成されている。図示されていないが、天面壁３１の注出用の開口が形成されている領域の周縁部には、内容液の注ぎ出しを向上するために上方に延びる注出筒が形成されていることが好ましい。
【００３７】
図７に示されるとおり、本実施例において金属キャップの把持片２３は容器１０の凹部１３に収納されている。これにより、オーバーキャップ３０の雌螺条３２ａが容器１０の雄螺条１２と螺合する際に把持片２３が干渉することがなく、オーバーキャップ３０が確実に容器１０に装着されることになる。
【００３８】
また、容器１０に形成された雄螺条１２はいわゆる多条ねじが好適であるが、とくにこれに限定されず、一条ねじを用いてもよく、ねじの形状は用途やコストに応じて可変できる。
また、オーバーキャップ３０も合成樹脂により成形されることが望ましいが、金属材料を用いて成形してもよい。さらに、オーバーキャップ３０は、液体の注出構造を備えたものでもよいし、これを備えずともよい。
【００３９】
本発明に係る容器と金属キャップとオーバーキャップとの組み合わせは、容器に形成された凹部に金属キャップの把持片を収納したことを要旨とするものであり、このような構成と均等とされるものは本発明の権利範囲である。
【産業上の利用可能性】
【００４０】
本発明は、液体を保存する容器と該容器を封止するキャップとの組み合わせにかかる構造に広く適用することができ、例えば、飲料や調味料を収容する容器や、薬品を保存する容器などにも好適であり、産業上の利用可能性が極めて高い。
【符号の説明】
【００４１】
１０  容器
１０ａ  口部
１１  環状突起
１２  雄螺条
１３  凹部
１３ｂ  第二の凹部
１４  顎部
１５  方向規制用凹部
２０  金属キャップ
２１  天面壁
２２  スカート壁
２３  把持片
２４  切り裂き弱化部
２５  シール材
３０  オーバーキャップ
３１  天面壁
３２  スカート壁
３２ａ  雌螺条
３３  突起
３４  シール材
３５  キャップ本体
３６  上蓋
【図１】
2010168065.tif 000003
【図２】
2010168065.tif 000004
【図３】
2010168065.tif 000005
【図４】
2010168065.tif 000006
【図５】
2010168065.tif 000007
【図６】
2010168065.tif 000008
【図７】
2010168065.tif 000009
【図８】
2010168065.tif 000010